(57)【特許請求の範囲】
【請求項１】
被試験デバイス（ＤＵＴ）である複数のデータパケット信号トランシーバー装置を共用試験装置により試験するための方法であって、
複数のＤＵＴからそれぞれの最初の複数のＤＵＴデータパケットの送出を開始することと、
それぞれの所定の複数のＤＵＴデータパケットの送信、又は
それぞれの所定の時間間隔
の少なくとも１つに続いて前記複数のＤＵＴからのそれぞれの最初の複数のＤＵＴデータパケットの前記送出のそれぞれを終了することと、
同期要求信号の受信、又は
別のそれぞれの所定の時間間隔
の少なくとも１つに続いて、それぞれの最初の複数のＤＵＴデータパケットの前記送信を終了した１つ以上の前記複数のＤＵＴによるＤＵＴデータパケットの送出をさらに開始することと
により複数のＤＵＴのそれぞれを送出信号（ＴＸ）試験にむけて準備するステップを含む方法。
【請求項２】
前記同期要求信号の受信に続いて、同期確認信号を送出することをさらに含む請求項１に記載の方法。
【請求項３】
前記同期要求信号の受信に続いて、同期確認信号の送出が前記複数のＤＵＴのうちの第１のもの及び第２のものに関する前記同期要求信号の受信を含み、それに続いて前記複数のＤＵＴのうちの前記第１のもの及び前記第２のものによるＤＵＴデータパケットの送出が、それぞれ、相互に排他的時間間隔中に再開される請求項２に記載の方法。
【請求項４】
前記同期要求信号の受信に続いて、前記複数のＤＵＴの別の１つからのＤＵＴデータパケットの送出の終了より前に送出の終了したＤＵＴデータパケットの前記送出を行った前記複数のＤＵＴの１つからの同期確認信号の送出をさらに含む請求項１に記載の方法。
【請求項５】
被試験デバイス（ＤＵＴ）である複数のデータパケット信号トランシーバー装置を共用試験装置により試験するための方法であって、
ＤＵＴデータパケット信号を受信する試験装置のデータパケット信号受信器回路の使用可能の確認に続いて、同期要求信号を複数のＤＵＴの１つに送出することと、
前記同期要求信号に応答する応答データパケット信号の受信、又は
前記応答データパケット信号の受信の応答時間間隔の経過
の少なくとも最初の発生を待ち受けることと、
前記応答時間間隔の前記経過より前に前記応答データパケット信号を受信しなかった場合に、
別の同期要求信号を前記複数のＤＵＴの別の１つに送出し、且つ
前記待ち受けを繰り返すことと、
前記応答時間間隔の前記経過に先立つ応答データパケット信号の正常な受信に続いて、前記試験装置により、前記応答時間間隔の前記経過より前に受信した前記応答データパケット信号の送出元である前記複数のＤＵＴの前記１つからＤＵＴデータパケット信号を受信することと
を含む方法。
【請求項６】
前記同期要求信号に応答する応答データパケット信号の前記受信が前記同期要求信号の送出された先である複数のＤＵＴのうちの前記１つからの同期確認信号の前記試験装置による受信を含む請求項５に記載の方法。
【請求項７】
複数のＤＵＴの１つへの同期要求信号の前記送出が前記試験装置から前記複数のＤＵＴの前記１つへの前記同期要求信号の送出を含む請求項５に記載の方法。
【請求項８】
前記データパケット信号受信器回路の前記使用可能性をモニターすることをさらに含む請求項５に記載の方法。
【請求項９】
ＤＵＴデータパケット信号を受信する試験装置のデータパケット信号受信器回路の使用可能性の前記確認を待ち受けることをさらに含む請求項５に記載の方法。
【請求項１０】
被試験デバイス（ＤＵＴ）である複数のデータパケット信号トランシーバー装置を共用試験装置により試験するための方法であって、
複数のＤＵＴからの複数のＤＵＴデータパケット信号のそれぞれにおけるデータパケット間の出力変動を示す少なくとも１つのステータス信号を受信することと、
ＤＵＴデータパケット信号を受信する試験装置のデータパケット信号受信器回路の使用可能性の確認及び前記複数のＤＵＴのうちの第１のものからのＤＵＴデータパケット信号内のデータパケット間の第１の変動より小さい出力変動を示す少なくとも１つの前記ステータス信号の受信に続いて、
第１の同期要求信号を前記複数のＤＵＴのうちの前記第１のものに送出すること、又は
前記複数のＤＵＴのうちの前記第１のものからの前記ＤＵＴデータパケット信号を前記試験装置により受信すること
の少なくとも１つを行うことと、
前記複数のＤＵＴのうちの前記第１のものからの前記ＤＵＴデータパケット信号の前記受信及び前記複数のＤＵＴのうちの第２のものからのＤＵＴデータパケット信号内のデータパケット間の第２の変動より小さい出力変動を示す少なくとも１つの前記ステータス信号の受信に続いて、
第２の同期要求信号を前記複数のＤＵＴのうちの前記第２のものに送出すること、又は
前記複数のＤＵＴのうちの前記第２のものからの前記ＤＵＴデータパケット信号を前記試験装置により受信すること
の少なくとも１つを行うことと
を含む方法。
【請求項１１】
ＤＵＴデータパケット信号内のデータパケット間の前記第１変動及び前記第２変動の少なくとも１つが後続データパケット間の出力変動を含む請求項１０に記載の方法。
【請求項１２】
ＤＵＴデータパケット信号内のデータパケット間の前記第１変動及び前記第２変動の少なくとも１つが相互に隣接するデータパケット間の出力変動を含む請求項１０に記載の方法。
【請求項１３】
前記複数のＤＵＴのうちの前記第１のものからの前記ＤＵＴデータパケット信号の前記試験装置による前記受信が、前記第１同期要求信号に応答する第１同期確認信号の受信に続く、前記複数のＤＵＴのうちの前記第１のものから前記ＤＵＴデータパケット信号の前記試験装置による受信を含む請求項１０に記載の方法。
【発明の詳細な説明】
【技術分野】
【０００１】
本発明は、被試験デバイス（ＤＵＴ）である複数のデータパケット信号トランシーバー装置を試験する方法、具体的には試験装置の使用効率を最大化し、且つ、それにより試験時間を最小化するために共用試験装置により複数のＤＵＴを試験する方法に関する。
【背景技術】
【０００２】
今日の電子装置の多くは、接続性と通信の両方の目的のために無線技術を使用している。無線装置は電磁エネルギーを送受するため、且つ、２つ以上の無線装置がそれらの信号周波数及びパワースペクトル密度によりお互いの動作を妨げる可能性があるため、これらの装置及びそれらの無線技術は、様々な無線技術標準仕様を順守しなければならない。
【０００３】
かかる無線装置の設計に際し、技術者は、かかる装置がそれらの内包無線技術所定標準準拠仕様のそれぞれに適合するか又はそれを超えるようにするために格別の注意を払う。さらに、これらの装置は、それらの後の量産に際して、それらによる内包無線技術標準準拠仕様の順守のほか、製造欠陥が不適切な動作を引き起こさないようにするために試験される。
【０００４】
ＤＵＴから試験装置に送出されるデータパケット信号の試験中、たとえば、その他の点では正常に動作するＤＵＴの送出器が最初に送出を開始したとき、最初に送られるパケットの出力が変動し、それが所望の公称出力に「安定化する」まで増加及び減少するが、通常、それ以降に見られる出力変動は問題にならない。その場合、試験装置は、安定化後に、分析のためのデータパケットの捕捉を開始する。整定時間中に捕捉された早期データパケットは、分析の目的の対象としては基本的に無視される。しかし、それでも、それらの捕捉は、試験装置の捕捉及び分析のための資源を使用する。したがって、試験装置の利用の観点からすると、試験装置の分析機能は、送信器出力安定化間隔中休止した状態であり、したがって試験装置の合計利用可能時間が減少する。
【０００５】
試験中の試験装置使用を最適化する現在の試みは、通常の場合、信号送出時間又は送出されるデータパケットの個数に基づいて、ＤＵＴが試験中に実行する試験ステップシーケンスを事前に定義することが多い。その結果、ＤＵＴは、事前に定義された時間間隔中のみ所与の試験シーケンスを実行する。複数のＤＵＴの同時試験、たとえば並行試験を試みる場合、すべてのＤＵＴが同一時点においてハードウェアに対するアクセスを要求する最悪シナリオにおいてもＤＵＴの性能の分析を可能にする試験シーケンスを設計する必要がある。しかし、かかる最悪シナリオが発生しない殆どの場合においても、それにも関わらず最悪シナリオに対応する試験シーケンスをすべてのＤＵＴが実行し続ける。したがって、試験装置が分析に適さないデータパケットを捕捉するので、それに比例して相当な量の試験時間が無効となる。
【発明の概要】
【課題を解決するための手段】
【０００６】
本発明に従って、共用試験装置により被試験デバイス（ＤＵＴ）である複数のデータパケット信号トランシーバー装置を試験する方法を提供する。ＤＵＴは、所定数のデータパケットが送出されるまで、又は所定時間間隔が経過するまで、それらのデータパケット信号を送出し、それに続いて、各ＤＵＴは、試験装置へのデータパケット送出を開始するために同期要求を待ち受ける。別の方法として、試験装置がデータパケットを受信するその受信器が利用可能になったことを検知し、それに続いて、それぞれのＤＵＴによるデータパケットの試験装置への送出を開始するために、同期要求がそれぞれのＤＵＴに送出される。さらなる代案として、それぞれのＤＵＴから最初に送出されるデータパケット間の出力レベルをモニターし、それらが安定化したことを示す時点を検知する。各ＤＵＴデータパケット信号出力が安定状態に向かっているとき、各ＤＵＴの安定化状態を示すステータス信号が試験装置に与えられ、それにより試験装置は、分析のために、出力安定状態になったそれぞれのＤＵＴデータパケット信号の受信を開始する。
【０００７】
本発明の１つの実施形態に従って共用試験装置により被試験デバイス（ＤＵＴ）である複数のデータパケット信号トランシーバー装置を試験する方法は、複数のＤＵＴのそれぞれを送出信号（ＴＸ）試験に向けて以下により準備することを含む：
複数のＤＵＴからそれぞれの最初の複数のＤＵＴデータパケットの少なくとも部分的に同時の送出を開始すること、
以下の少なくとも１つに続いて、複数のＤＵＴからのそれぞれの最初の複数のＤＵＴデータパケットの送出のそれぞれを終了すること、
それぞれの所定の複数のＤＵＴデータパケットの送出、又は
それぞれの所定の時間間隔、及び
以下の少なくとも１つに続いて、それぞれの最初の複数のＤＵＴデータパケットの送出を終了した複数のＤＵＴのうちの１つ以上によるＤＵＴデータパケットの少なくとも部分的に同時の送出をさらに開始すること、
同期要求信号の受信、又は
別のそれぞれの所定の時間間隔。
【０００８】
本発明の別の実施形態に従って共用試験装置により被試験デバイス（ＤＵＴ）である複数のデータパケット信号トランシーバー装置を試験する方法は、以下を含む：
ＤＵＴデータパケット信号を受信する試験装置のデータパケット信号受信器回路が使用できることの確認に続いて、同期要求信号を複数のＤＵＴの１つに送出すること、
以下の少なくとも１つの最初の発生を待ち受けること、
同期要求信号に応答する応答データパケット信号の受信、又は
応答データパケット信号の受信の応答時間間隔の経過、
応答時間間隔の経過より前に同期確認信号を受信しない場合、それに続いて、
別の同期要求信号を複数のＤＵＴのうちの別の１つに送出すること、及び
待ち受けを繰り返すこと、及び
応答時間間隔の経過に先立つ応答データパケット信号の正常な受信に続いて、応答時間間隔の経過より前に受信された応答データパケット信号の送出元である複数のＤＵＴのうちの１つから試験装置によりＤＵＴデータパケット信号を受信すること。
【０００９】
本発明の別の実施形態に従って共用試験装置により被試験デバイス（ＤＵＴ）である複数のデータパケット信号トランシーバー装置を試験する方法は、以下を含む：
複数のＤＵＴからの複数のＤＵＴデータパケット信号のそれぞれ１つにおけるデータパケット間の出力変動を示す少なくとも１つのステータス信号を受信すること、
ＤＵＴデータパケット信号を受信する試験装置のデータパケット信号受信器回路が使用できることの確認及び複数のＤＵＴのうちの第１のものからのＤＵＴデータパケット信号内のデータパケット間の第１の変動より小さい出力変動を示す少なくとも１つのステータス信号の受信に続いて、以下の少なくとも１つを行うこと、
第１の同期要求信号を複数のＤＵＴのうちの第１のものに送出すること、又は
試験装置により複数のＤＵＴのうちの第１のものからＤＵＴデータパケット信号を受信すること、及び
複数のＤＵＴのうちの第１のものからのＤＵＴデータパケット信号の受信及び複数のＤＵＴのうちの第２のものからのＤＵＴデータパケット信号内のデータパケット間の第２の変動より小さい出力変動を示す少なくとも１つのステータス信号の受信に続いて、次の少なくとも１つを行うこと、
第２の同期要求信号を複数のＤＵＴのうちの第２のものに送出すること、又は
試験装置により複数のＤＵＴのうちの第２のものからＤＵＴデータパケット信号を受信すること。
【図面の簡単な説明】
【００１０】
【図１】図１は、本発明の例示実施形態に従って複数のＤＵＴを試験するための試験環境を示す。
【図２】図２は、本発明の例示実施形態に従う試験の流れを示すフローチャートを示す。
【図３】図３は、本発明の別の例示実施形態に従う試験の流れを示すフローチャートを示す。
【図４】図４は、本発明の例示実施形態による複数のＤＵＴと共用試験装置間の同期信号交換及びデータパケット送出を示す。
【図５】図５は、本発明の別の例示実施形態に従って複数のＤＵＴを試験するための試験環境を示す。
【図６】図６は、本発明の別の例示実施形態による複数のＤＵＴと共用試験装置間の同期信号交換及びデータパケット送出を示す。
【図７】図７は、本発明の別の例示実施形態による複数のＤＵＴと共用試験装置間の同期信号交換及びデータパケット送出を示す。
【発明を実施するための形態】
【００１１】
以下において、本発明の例示実施形態について添付図面を参照しつつ詳細に説明する。かかる記述は、本発明の範囲について制限することではなく、説明することを目的としている。かかる実施形態について、当業者による主題発明の実行を可能にするために十分な程度に説明する。また、当然のことながら、他の実施形態も主題発明の思想及び範囲から逸脱することなく若干の変化を交えて実行可能である。
【００１２】
本開示全体を通じて、文脈から明らかに反対の指示がない限り、当然のことながら記述される個々の回路要素は単数又は複数であり得る。たとえば、用語「回路」及び「回路構成要素」は、単一の構成要素又は複数の構成要素を含み、これらは能動及び／又は受動要素であり、記述された機能を実現するために相互に接続又は結合され得る（たとえば、１つ以上の集積回路チップとして）。また、用語「信号」は、１つ以上の電流、１つ以上の電圧、又は１つのデータ信号を指すことができる。図面において、同様な要素又は関連する要素には、同様であるか又は関連する英字、数字又は英数字の指示子を与える。さらに、本発明は個別電子回路（好ましくは１つ以上の集積回路チップの形態）を用いて実現する文脈において考察されているが、かかる回路の任意の部分の機能は、もう一つの方法として、処理される信号周波数又はデータ転送速度に応じて適切にプログラムされた１つ以上のプロセッサを使用して実現することもできる。さらに、図面が種々の実施形態の機能ブロックの図を示す限りにおいて、それらの機能ブロックは、必ずしもハードウェア回路間の分割を示さない。
【００１３】
以下においてより詳細に示すように、ＤＵＴにより送出されたデータパケットの信号出力レベルが所望の公称出力レベルに安定化するまでの時間中、試験装置資源、たとえば分析のためにデータパケットを捕捉する受信器回路の使用（たとえば、パケットの個数又はパケット送出時間間隔に関する所定のシーケンスにおいて）を回避することにより、データパケット試験装置の利用は最大化され、且つ、試験時間は最小化される。したがって、他のＤＵＴデータパケットの送出出力レベルが安定状態に向かっているとき、すでに出力が安定化したＤＵＴにより送出されているデータパケットが捕捉及び分析のために受信される。したがって、開示される方法は、捕捉及び分析のために受信される前にＤＵＴデータパケット（送出される信号出力に関して）が安定化するまでの間隔相互を識別すること又は区別することを可能にする。これにより、データパケットの捕捉及び分析のために使用される試験装置受信器回路は、送出データパケット信号出力のすでに安定化したデータパケットのために（述べたようにシーケンスで）使用され、それと同時に１つ以上の他のＤＵＴは、それらのそれぞれの送出信号出力安定化時間間隔（この間隔の間、それらのデータパケットは、捕捉及び分析のために受信されない）を完了することとなる。
【００１４】
図１を参照する。例示実施形態に従って、複数のＤＵＴを試験する試験環境１００は、試験装置１０２、信号送出回路１０４（たとえば、マルチプレクサ又はスイッチマトリックス回路）及びＤＵＴ１０６を含む。（この考察においては、３個のＤＵＴを同時又は並行して試験することとして試験について説明するが、当然のことながらＤＵＴの個数は必要に応じて増減できる。）
【００１５】
試験装置１０２、送出回路１０４及びＤＵＴ１０６間に、制御インピーダンス無線周波（ＲＦ）ケーブル及びコネクタ（たとえば同軸）を使用して実現される一般的に導電信号経路の形態の信号経路１０３、１０５が設けられる。送出（ＴＸ）信号試験中、ＤＵＴ１０６からのデータパケット信号は、信号経路１０５経由で送出回路１０４に伝えられ、次にこの回路（たとえば、マルチプレクサ又はスイッチ）が要求され又は選択された信号を信号経路１０３経由で試験装置１０２に送出する。かかる信号送出は、１つ以上の制御信号１１５に従って制御される。これらの制御信号は、試験装置１０２により、又はパーソナルコンピュータのような試験装置１０２の外付け又は遠隔の制御信号源（図示せず）から供給することができる。送出されたデータパケット信号は、試験装置１０２により受信器回路１０２ａ、たとえば、ベクトル信号アナライザ（ＶＳＡ）の形態の回路を使用して受信され、ここでデータパケットが分析のために捕捉される。
【００１６】
受信（ＲＸ）信号試験中、試験装置１０２内の信号源１０２ｇ、たとえば、ベクトル信号発生器（ＶＳＧ）の形態の回路によりデータパケット信号を与える。この信号は、信号経路１０３経由で送出回路１０４に伝えられ、この回路はその信号を所望のＤＵＴ１０６ａ、１０６ｂ、１０６ｃ、…に送る。
【００１７】
図２を参照する。例示実施形態に従って複数のＤＵＴ１０６のそれぞれを試験するテストフロー２００は、図示のとおり順を追って、記述されている各ステップを実行することにより各ＤＵＴを並列試験シーケンスの一環として試験することができる。最初に２０２で各ＤＵＴからそのデータパケットの送出を開始する。次に、２０４で所定数のデータパケットがすでに送られたか否か、又は、もう一つの方法として所定時間間隔が経過又は満了したか否か決定する。「ＮＯ（いいえ）」である場合、２０２でデータパケット送出を続ける。一方、所定数のデータパケットがすでに送られているか又は所定時間間隔がすでに経過している場合、ＤＵＴは、２０８で試験装置からの同期要求信号の受信を待ち合わせる。かかる同期要求信号の受信に続いて、ＤＵＴは、２１０で同期確認信号を送ることより応答することができ、続いて試験装置による受信、捕捉及び分析のために試験データパケットの送出を再開する。
【００１８】
別の例示実施形態が図３に示されている。試験装置１０２から見たプログラムフロー３００は、図示のとおり進む。試験装置は、最初に３０２において、捕捉及び分析の対象のデータパケット信号を受信する信号受信回路（たとえば、ＶＳＡ）が使用可能であるか否か決定する。「ＮＯ（いいえ）」である場合、３２０において受信回路の使用可能性のモニターを継続する。それが使用可能になった後、試験装置は、３０４において同期要求信号を選択されたＤＵＴに送出する。試験装置は、次に３０６において応答時間間隔の間、同期要求信号を送り込んだ先のＤＵＴからの同期確認信号の受信を待つ。別の方法として、試験装置は、３０６において所定応答時間間隔の間、ＤＵＴからのデータパケットの受信を待つ。同期確認信号が受信されない場合又は所定応答時間間隔の間にＤＵＴからデータパケットが受信されない場合、３２２において送出回路を設定して別のＤＵＴを（すなわち、試験装置と選択されたＤＵＴ間で信号を送受するために）選択し、それに続いて３２４において別の同期要求信号をこのようにして選択されたＤＵＴに送出する。
【００１９】
ＤＵＴからの同期確認信号の受信に続いて、試験装置は、３０８において捕捉及び分析のために同期の確立されたＤＵＴからのデータパケットの受信を開始する。選択されたＤＵＴからのデータパケットのかかる受信の完了後、３１０において再び送出回路を設定して別のＤＵＴを選択し、それに続いて再び３０２において試験装置により、先行ＤＵＴからのデータパケットの受信に先行使用された受信器回路の使用可能性を点検する。
【００２０】
図４を参照する。例示実施形態に従って、試験装置と複数のＤＵＴ間の信号の相互作用が（たとえば、図１の試験環境１００において）開始され、ＤＵＴ１０６ａ、１０６ｂ、１０６ｃがそれらのそれぞれの出力整定時間間隔中に最初のデータパケット４１１、４１２，４１３（上述したようにシーケンスで）を送出する。各ＤＵＴ１０６ａ、１０６ｂ、１０６ｃが送出を開始する時点は、その先行送出の完了次第であり、したがって少なくとも多少はランダムである。一方、試験装置１０２は、複数の同期要求信号４００を送出することにより、たとえば同期要求信号４０１、４０２，４０３をそれぞれのＤＵＴ１０６ａ、１０６ｂ、１０６ｃにそれぞれの信号出力安定の完了を待ってラウンドロビン式に送出することにより、テストフローの開始を試みる。
【００２１】
図示のように、第１のＤＵＴ１０６ａの信号出力が最初に安定化している（たとえば、ＤＵＴ１０６ａが所定数のデータパケットの送出をすでに完了し、それに続いて出力安定が推定される）。したがって、その出力安定後に試験装置１０２から受信した同期要求信号４０１に応じて、第１のＤＵＴ１０６ａは、同期確認信号４３１で応答し、それに続いて、それ以降に送出されるデータパケット４１６が試験装置１０２により受信及び捕捉される。
【００２２】
データパケット４１６の捕捉の完了後、試験装置１０２は、第２のＤＵＴ１０６ｂ及び第３のＤＵＴ１０６ｃに対する同期要求パケット４０２、４０３の送出を再開する。そのときまでに、第２のＤＵＴ１０６ｂの信号出力レベルは、まだ安定化していない。しかし、第３のＤＵＴ１０６ｃの出力レベルは安定化したと見なされる状態に達しているので、第３のＤＵＴは、試験装置１０２からの同期要求信号４０３に対し、応答として同期確認信号４３３を送出することにより応答し、それに続いて、それ以降に送出されるデータパケット４１８が試験装置１０２により受信及び捕捉される。
【００２３】
これらのデータパケット４１６の捕捉の完了後、試験装置１０２は、第１のＤＵＴ１０６ａに対する別の同期要求パケット４０４により送出を再開する。しかし、第１のＤＵＴ１０６ａは別のパケットシーケンス４２１をすでに開始したが、その信号出力レベルはまだ安定化していない。一方、第２のＤＵＴ１０６ｂの信号出力レベルは安定化したと見なされる状態に達している。したがって第２のＤＵＴは、試験装置１０２からの同期要求信号４０２に対し、応答として同期確認信号４３２を送出することにより応答し、それに続いて、それ以降に送出されるデータパケット４１７が試験装置１０２により受信及び捕捉される。
【００２４】
同期要求パケット４０１、４０２、４０３、４０４、…は、種々のＤＵＴ１０６のためのテストフロー全体中におけるそれらのそれぞれの位置に応じて希望する種々の周波数で送ることができる。
【００２５】
図５を参照する。別の例示実施形態による試験環境１００ａは、送出回路１０４とＤＵＴ１０６の間に配置される出力検出又は測定の回路１１０を含む。それぞれの出力検出器１１０ａ、１１０ｂ、１１０ｃは、対応するＤＵＴ１０６ａ、１０６ｂ、１０６ｃにより信号経路１０５ａ、１０５ｂ、１０５ｃ経由で送出回路１０４に送り出されるデータパケット信号の出力レベルを検出又は測定する（たとえば個々のピークデータパケット信号レベルをサンプリングすることにより）。出力検出器１１０は、それぞれ、個々のＤＵＴデータパケット信号出力を示す１つ以上のデータ信号１１１ａ、１１１ｂ、１１１ｃを与える。これらのデータ信号１１１ａ、１１１ｂ、１１１ｃは、制御回路１１２により処理されて、１つ以上の制御信号１１３となって試験装置１０２に与えられる。これらの制御信号１１３は、受信器回路１０２ａ又は信号発生器回路１０２ｇ、又はこれらの両方に直接伝えることも、又は試験装置１０２内の内部制御回路１０２ｃによりさらに処理した後に受信器回路１０２ａと発生器回路１０２ｇのいずれか一方又は両方を制御するために使用することもできる。これらの検出された出力レベル信号１１１は、試験装置１０２への制御信号１１３を媒介して使用され、それぞれのＤＵＴ１０６ａ、１０６ｂ、１０６ｃからのデータパケット信号出力が安定化したか否か及びその時期を試験装置１０２に伝えることができる。
【００２６】
別の方法として、出力検出器１１０ａ、１１０ｂ、１１０ｃを用いてそれぞれのデータパケットを検出することもできる。この場合、データ信号１１１ａ、１１１ｂ、１１１ｃは、それぞれのＤＵＴ１０６ａ、１０６ｂ、１０６ｃによりすでに送出されたデータパケットの個数を示すことができる。ＤＵＴ１０６の出力安定化特性の既知知識（たとえば、正しいことが分かっている同様なＤＵＴの経験的試験データ）に基づいて、データ信号１１１ａ、１１１ｂ、１１１ｃは、それぞれのＤＵＴ１０６ａ、１０６ｂ、１０６ｃにより送出されたデータパケットの出力レベルがすでに安定化したか否か及びその時期を示すこともできる。また、これらの信号は、それぞれのＤＵＴ１０６ａ、１０６ｂ、１０６ｃ側における同期要求に応答するための準備完了状態も示す。
【００２７】
さらに、出力検出器１１０ａ、１１０ｂ、１１０ｃのデータパケット検出能力を有利に使用して試験装置１０２の資源の使用計画及び使用をより多くの情報に基づかせることができる。たとえば、データ信号１１１ａ、１１１ｂ、１１１ｃをモニターしてそれぞれのＤＵＴ１０６ａ、１０６ｂ、１０６ｃからのデータパケットの流れの開始時点及び終了時点を検知し、それにより、これから実行されるか又は実行の計画される試験の要求に基づいて、試験装置１０２が受信器回路１０２ａによりデータパケットの捕捉を行うべきか否か及びその時期、又は試験データパケットに信号源１０２ｇをあてがうべきか否か及びその時期のリアルタイム決定を可能にすることができる。
【００２８】
図６を参照する。例示実施形態に従って、図５の試験環境１００ａにおける試験装置１０２とＤＵＴ１０６間のデータパケット信号の相互作用が図示のように生じ得る。出力検出器１１０ａ、１１０ｂ、１１０ｃは、それぞれのＤＵＴ１０６ａ、１０６ｂ、１０６ｃにより所定個数のデータパケットが送出されたとき、それを検知することができ、それに続いて同期要求パケットが送出される。たとえば、第１出力検出器１１０ａは、その関連ＤＵＴ１０６ａにより送出されるデータパケットストリームをモニターし、且つ、期待数のデータパケット４１１が送出されたとき、制御回路１１２がＤＵＴ１０６ａによる送出のための同期要求パケット４０１のスケジューリングを開始する。同様に、第２のＤＵＴ１０６ｂがその期待数のデータパケット４１２の送出を完了したとき、制御回路１１２がＤＵＴ１０６ｂによる送出のための同期要求パケット４０２のスケジューリングを開始する。しかし、図に示されているように、試験装置１０２は第１のＤＵＴ１０６ａからのデータパケット４１６を受信及び捕捉中であり、したがって現在第２のＤＵＴ１０６ｂとの通信のためには使用できない。したがって、第２の同期要求パケット４０２の送出は、第１のＤＵＴ１０６ａからのデータパケット４１６の捕捉の完了まで遅延される。第３のＤＵＴ１０６ｃからのデータパケット４１３をモニターすること、第２のＤＵＴ１０６ｂからのデータパケット４１７の捕捉、及び第３のＤＵＴ１０６ｃからの同期要求パケット４０３の送出の遅延も同様に行われる。
【００２９】
図７を参照する。別の例示実施形態に従って、たとえば、再び図５の環境１００ａにおいて試験する場合、図示のとおり別の信号相互作用が生じ得る。たとえば、第１のＤＵＴ１０６ａからのデータパケット４１１の出力レベルがより迅速に、たとえば、データパケットシーケンス４１１の最後から２番目のデータパケット４１１ａのときに、安定化することがある。これは、対応する出力検出器１１０ａにより検出され、この検出器は、データパケットの受信及び捕捉を開始できることを示す信号１１１ａを試験装置１０２に送る。したがって、試験装置１０２は、同期要求信号４０１及び同期確認信号４３１の交換より前に、データパケット４１６ａの受信及び捕捉を開始する。したがって、データパケットの最初のシーケンス４１１の１つ以上の立ち下がりパケットは捕捉されるが、同期確認パケット４３１及びその後に送出される１つ以上の立ち下がりデータパケット４１６は捕捉されない場合がある。
【００３０】
同様に、これは、別のＤＵＴ１０６ｂから送出された出力が最後から２番目のデータパケット４１２ａのときに安定化した場合に、このＤＵＴについて、やはり同期確認要求信号４０２及び同期確認信号４３２の交換より前に起こり得る。前記と同様に、この結果、最初に送出されたデータパケット４１２の１つ以上の立ち下がりパケットの受信及び捕捉が行われる一方、その後に送出されるデータパケット４１７の１つ以上の立ち下がりパケットの受信及び捕捉は行われないこととなり得る。
【００３１】
他方、残りのＤＵＴ１０６ｃからのデータパケット４１３の出力レベルの同様な早期安定化にも関わらず、同期要求信号４０３と同期確認信号４３３の交換は、後に、たとえば、第２のＤＵＴ１０６ｂからのデータパケットの受信及び捕捉中の試験装置１０２の受信器回路の使用不能のために発生する。したがって、第３のＤＵＴ１０６ｃからのデータパケット４１８ａの受信及び捕捉は、最初に送出されたデータパケット４１３の１つ以上の立ち下がりパケットを同様に受信及び捕捉することなく、行われる。
【００３２】
別の方法として、試験環境１００ａをプログラム化するか又はその他の方法により制御し、試験装置１０２の受信器回路が使用可能になった後のデータパケットの受信及び捕捉の優先順位を出力安定化が発生した順序に基づいて決定することもできる。したがって、この例では、第３のＤＵＴ１０６ｃからのデータパケット４１３の出力レベルが第２のＤＵＴ１０６ｂからのデータパケット４１２の出力レベルより早く安定化したので、試験装置１０２の受信器回路は、先に第３のＤＵＴ１０６ｃからのパケットと同期し、且つ、それを捕捉する。
【００３３】
本発明の範囲及び思想から逸脱することなく行われるこの発明の実施の構造及び方法における様々なその他の修正及び変更は、当業者にとって明かであろう。本発明は特定の好ましい実施形態に関連して記述されたが、当然のことながら、本発明は、かかる特定の実施形態に不当に限定されるべきでない。以下の請求項が本発明の範囲を規定すること並びにそれによりこれらの請求項の範囲内の構造及び方法並びにそれらの均等物を包含することが意図されている。
【図１】
0006526045.tif 000002
【図２】
0006526045.tif 000003
【図３】
0006526045.tif 000004
【図４】
0006526045.tif 000005
【図５】
0006526045.tif 000006
【図６】
0006526045.tif 000007
【図７】
0006526045.tif 000008